(57)【要約】【課題】幼児と非幼児とで、照明として用いる近赤外光の波長帯域を切り替えて撮影する。【解決手段】被撮影者の目を撮影する目撮影カメラ１１０と、被撮影者の目に向けて、照明として、幼児の目の撮影に用いる幼児用光及び非幼児の目の撮影に用いる非幼児用光のいずれか一方に切り替えて照射する照明部１３０と、照明部に対して、幼児用光及び非幼児用光のいずれか一方へ切り替えさせる照明切替部１３５とを有する。【選択図】図１
2010009106.tif 000002
【特許請求の範囲】
【請求項１】
被撮影者の目を撮影して、目の中のアイリスが写っているアイリス画像を取得するアイリス撮影装置において、
前記被撮影者の目を撮影する目撮影カメラと、
前記被撮影者の目に向けて、幼児の目の撮影に用いる幼児用光及び非幼児の目の撮影に用いる非幼児用光のいずれか一方に切り替えて照明光を照射する照明部と、
前記照明部に対して、前記幼児用光及び非幼児用光のいずれか一方へ切り替えさせる照明切替部とを有する
ことを特徴とするアイリス撮影装置。
【請求項２】
請求項１に記載のアイリス撮影装置において、
前記非幼児用光を７００〜９００ｎｍの波長帯域の近赤外光とし、及び、
前記幼児用光を８００〜１０００ｎｍの波長帯域の近赤外光とする
ことを特徴とするアイリス撮影装置。
【請求項３】
請求項２に記載のアイリス撮影装置において、
前記照明部は、
近赤外光を含む光を発光する第１発光光源と、当該第１発光光源の前に、７００ｎｍ以下の波長帯域の光をカットしてこれ以外の光を透過する第１フィルタと９００ｎｍ以上の波長帯域の光をカットしてこれ以外の光を透過する第２フィルタとが重ねて配置された、前記非幼児用光を照射するための第１照明部と、
近赤外光を含む光を発光する第２発光光源と、当該第２発光光源の前に、８００ｎｍ以下の波長帯域の光をカットしてこれ以外の光を透過する第３フィルタと１０００ｎｍ以上の波長帯域の光をカットしてこれ以外の光を透過する第４フィルタとが重ねて配置された、前記幼児用光を照射するための第２照明部とを備えている
ことを特徴とするアイリス撮影装置。
【請求項４】
請求項２に記載のアイリス撮影装置において、
前記照明部は、
複数のＬＥＤ素子によって構成されており、
各ＬＥＤ素子は、７００〜１０００ｎｍの波長帯域内の、それぞれに固有の近赤外光を発光する
ことを特徴とするアイリス撮影装置。
【請求項５】
請求項１に記載のアイリス撮影装置において、
前記照明切替部は、手動で操作される切替スイッチとして構成されている
ことを特徴とするアイリス撮影装置。
【請求項６】
請求項１に記載のアイリス撮影装置において、
前記照明切替部は、前記被撮影者が幼児か非幼児かを判定して、判定結果に応じて、前記照明部に、前記幼児用光及び非幼児用光のいずれか一方へ切り替えさせる照明制御部として構成されている
ことを特徴とするアイリス撮影装置。
【請求項７】
請求項６に記載のアイリス撮影装置において、
さらに、前記被撮影者までの距離を測定する測距部と、
前記被撮影者の顔を含む上半身を撮影する顔撮影カメラとを有し、
前記照明制御部として構成された前記照明切替部は、
前記測距部によって測定された前記被撮影者までの距離情報と、前記顔撮影カメラのレンズと前記顔撮影カメラによって撮影された当該被撮影者の上半身画像の任意の位置とを結ぶ線分と前記顔撮影カメラのレンズと前記顔撮影カメラによって撮影された当該被撮影者の上半身画像の顔位置とを結ぶ線分との挟角を表す角度情報とに基づいて、当該被撮影者の身長を算出する身長測定部と、
前記顔撮影カメラによって撮影された当該被撮影者の上半身画像に写る当該被撮影者の顔画像を抽出する顔画像抽出部と、
身長に応じて幼児と非幼児とを切り分ける閾値及び各年齢に応じた顔貌の特徴を表す顔貌情報を予め記憶する記憶部と、
第１判定として、前記身長測定部によって測定された前記被撮影者の身長と前記記憶部に記憶された前記閾値とを比較して当該被撮影者が幼児か非幼児かを判定するとともに、第２判定として、前記顔画像抽出部によって抽出された前記被撮影者の顔画像に写る当該被撮影者の顔貌の特徴と前記記憶部に記憶された前記顔貌情報とを比較して当該被撮影者が幼児か非幼児かを判定する年齢判定部とを備え、
前記年齢判定部は、
前記第１及び第２判定の双方の結果が幼児である場合に、前記照明部が照射する前記照明光を、前記幼児用光に切り替えさせ、及び、
前記第１及び第２判定の双方または一方の結果が非幼児である場合に、前記照明部が照射する前記照明光を、前記非幼児用光に切り替えさせる
ことを特徴とするアイリス撮影装置。
【発明の詳細な説明】
【技術分野】
【０００１】
この発明は、被撮影者のアイリス画像すなわち目の中のアイリス（虹彩）が写っている画像を撮影するアイリス撮影装置に関する。
【背景技術】
【０００２】
アイリス撮影装置は、被撮影者のアイリス画像すなわち目の中のアイリス（虹彩）が写っている画像を自動的に撮影する装置である。アイリス撮影装置は、例えば、アイリス認証装置に組み込まれている。なお、アイリス認証装置とは、アイリスの模様をパターン化することによって得られる「アイリスコード」と称されるコードデータを用いて被撮影者の個人認証を行う装置である。
【０００３】
アイリス撮影装置は、被撮影者のアイリスを含む目全体を撮影するためのカメラと、装置から被撮影者までの距離を測定するための測距部と、カメラのフォーカス位置すなわちカメラのレンズの合焦点位置を最適な位置に合わせるためのオートフォーカス機構と制御部（以下、それぞれ、「ＡＦ機構」及び「ＡＦ制御部」と称する）と、カメラから出力されたアナログ画像信号をディジタル信号に変換して、カメラによって撮影されたアイリスを含む目全体の画像（以下、単に「目画像」と称する）データとして蓄積するビデオキャプチャ部と、ビデオキャプチャ部に蓄積された目画像データを画像処理して、目画像の中からアイリスコードの取得に適したアイリス画像を切り出すための画像処理部と、被撮影者の目に向けて照明光を照射するための照明部とを有している（特許文献１参照）。なお、特許文献１では、被撮影者を「利用者」として説明している。また、特許文献１では、アイリス撮影装置が、アイリス画像から被撮影者のアイリスコードを生成してデータベースに予め保存されたアイリスコードとマッチングを行うための構成要素すなわちアイリス特徴抽出部、アイリスデータベース、及びアイリスマッチング部等の構成要素を有するものとして説明している。
【特許文献１】特開２００１−３５８９８７号公報（図１及び図３）
【発明の開示】
【発明が解決しようとする課題】
【０００４】
ところで、アイリス撮影装置の照明部は、照明光として、約７００〜９００ｎｍの波長帯域の近赤外光を照射している。その理由は、この波長帯域の近赤外光が被撮影者の目で強く反射するため、カメラがアイリスを鮮明に撮影できるからである。
【０００５】
この約７００〜９００ｎｍの波長帯域の近赤外光は、一般的な成人には見えない。それは、成人が近赤外光に対する感度が低いためである。したがって、成人は、照明部から照射された近赤外光に対して眩しさを感じないため、カメラを正視することができる。そのため、被撮影者が成人である場合に、アイリス撮影装置は、良好なアイリス画像を容易に撮影することができる。
【０００６】
これに対して、子供（特に、幼児）は、成人よりも近赤外光に対する感度が高いため、近赤外光（特に、可視光に近い約７００〜８００ｎｍの波長帯域の近赤外光）が見えるときがある。したがって、幼児は、成人と同じ光量であるにもかかわらず、照明部から照射された近赤外光に対して眩しさを感じてしまい、カメラを正視することができないときがあった。そのため、被撮影者が幼児である場合に、アイリス撮影装置は、良好なアイリス画像を撮影することができないときがあるという課題があった。
【０００７】
この発明の目的は、このような課題を解決するために、幼児と非幼児すなわち幼児でない者とで、照明光として用いる近赤外光の波長帯域を切り替えて撮影するアイリス撮影装置を提供することにある。
【課題を解決するための手段】
【０００８】
上述の課題を解決するために、この発明に係るアイリス撮影装置は、被撮影者の目を撮影する目撮影カメラと、以下の構成の照明部及び照明切替部を有する。
【０００９】
すなわち、照明部は、被撮影者の目に向けて、幼児の目の撮影に用いる幼児用光及び非幼児の目の撮影に用いる非幼児用光のいずれか一方に切り替えて照明光を照射する。また、照明切替部は、照明部に対して、幼児用光及び非幼児用光のいずれか一方へ切り替えさせる。
【００１０】
なお、この発明の実施の形態によれば、好ましくは、非幼児用光を約７００〜９００ｎｍの波長帯域の近赤外光とし、及び、幼児用光を約８００〜１０００ｎｍの波長帯域の近赤外光とするとよい。これは、非幼児光を、単純に、通常的に用いている約７００〜９００ｎｍの波長帯域の近赤外光から可視光に近い波長帯域の近赤外光（ここでは、約７００〜８００ｎｍの波長帯域の近赤外光）をカットした光にすると、輝度量が減少する。さらに、撮影対象位置（ここでは、目の位置）における照度は、光源からの距離の２乗分の１に比例する。そのため、幼児の目を撮影する場合と非幼児の目を撮影する場合とで、照明の光量が、著しく変化する。したがって、アイリス撮影装置は、撮影対象位置における照度を調整するための大掛かりな光源の発光量制御が必要となる。しかしながら、非幼児用光を約７００〜９００ｎｍの波長帯域の近赤外光とし、及び、幼児用光を約８００〜１０００ｎｍの波長帯域の近赤外光とすると、照明光として用いる幼児用光の波長帯域の幅と非幼児用光の波長帯域の幅を同じ約２００ｎｍにすることができる。そのため、このアイリス撮影装置によれば、幼児の目を撮影する場合と非幼児の目を撮影する場合とで、照明の光量をほぼ一定にすることができる。したがって、このアイリス撮影装置によれば、撮影対象位置における照度を調整するための大掛かりな光源の発光量制御なしに、撮影に適した光量を得られるので、良好なアイリス画像を容易に撮影することができる。
【００１１】
このような照明部は、好ましくは、近赤外光を含む光を発光する第１発光光源と、この第１発光光源の前に、７００ｎｍ以下の波長帯域の光をカット（除去）してこれ以外の光を透過する第１フィルタと９００ｎｍ以上の波長帯域の光をカットしてこれ以外の光を透過する第２フィルタとが重ねて配置された、非幼児用光を照射するための第１照明部と、近赤外光を含む光を発光する第２発光光源と、この第２発光光源の前に、８００ｎｍ以下の波長帯域の光をカットしてこれ以外の光を透過する第３フィルタと１０００ｎｍ以上の波長帯域の光をカットしてこれ以外の光を透過する第４フィルタとが重ねて配置された、幼児用光を照射するための第２照明部とを備える構成にすることによって、実現されるのがよい。
【００１２】
または、このような照明部は、好ましくは、複数のＬＥＤ素子によって構成されており、各ＬＥＤ素子は、７００〜１０００ｎｍの波長帯域内の、それぞれに固有の近赤外光を発光する構成にすることによって、実現されるのがよい。
【００１３】
また、照明切替部を、好ましくは、手動で操作される切替スイッチとして構成するのがよい。このアイリス撮影装置は、撮影者によって切替スイッチが幼児用または非幼児用に切り替えられることによって、照明部の照明光の切り替えを行うことができる。
【００１４】
或いは、照明切替部を、好ましくは、被撮影者が幼児か非幼児かを判定して、判定結果に応じて、照明部に、幼児用光及び非幼児用光のいずれか一方へ切り替えさせる照明制御部として構成するのがよい。このアイリス撮影装置は、照明制御部によって照明部の照明光の切り替えを自動的に行うことができる。
【００１５】
このような照明制御部は、好ましくは、アイリス撮影装置を、装置から被撮影者までの距離を測定する測距部と、被撮影者の顔を含む上半身を撮影する顔撮影カメラとを有する構成とした上で、以下のように構成することによって、実現されるのがよい。
【００１６】
すなわち、照明切替部は、身長測定部と顔画像抽出部と記憶部と年齢判定部とを備える構成にする。そして、身長測定部は、測距部によって測定された被撮影者までの距離情報と、顔撮影カメラのレンズと顔撮影カメラによって撮影された被撮影者の上半身画像の任意の位置（例えば、腰部位置）とを結ぶ線分と顔撮影カメラのレンズと顔撮影カメラによって撮影された被撮影者の上半身画像の顔位置（例えば、顔の天頂位置）とを結ぶ線分との挟角を表す角度情報とに基づいて、被撮影者の身長を算出する。顔画像抽出部は、顔撮影カメラによって撮影された被撮影者の上半身画像に写る被撮影者の顔画像を抽出する。記憶部は、身長に応じて幼児と非幼児とを切り分ける閾値及び各年齢に応じた顔貌の特徴を表す顔貌情報を予め記憶する。年齢判定部は、第１判定として、身長測定部によって測定された被撮影者の身長と記憶部に記憶された閾値とを比較して被撮影者が幼児か非幼児かを判定するとともに、第２判定として、顔画像抽出部によって抽出された被撮影者の顔画像に写る被撮影者の顔貌の特徴と記憶部に記憶された顔貌情報とを比較して被撮影者が幼児か非幼児かを判定し、第１及び第２判定の双方の結果が幼児である場合に、照明部が照射する照明光を、幼児用光に切り替えさせ、及び、第１及び第２判定の双方または一方の結果が非幼児である場合に、照明部が照射する照明光を、非幼児用光に切り替えさせる。
【発明の効果】
【００１７】
この発明に係るアイリス撮影装置によれば、幼児の目の撮影に用いる幼児用光及び非幼児の目の撮影に用いる非幼児用光のいずれか一方に切り替えて照明光を照射することができる。そのため、幼児の目を撮影する場合に、可視光に近い近赤外光がカットされた照明光を照射するので、赤外光の感度が成人よりも高い幼児に眩しさを感じさせない。幼児が目撮影カメラを正視することができる。したがって、このアイリス撮影装置によれば、被撮影者が幼児であっても、良好なアイリス画像を容易に撮影することができるという効果を得る。
【発明を実施するための最良の形態】
【００１８】
以下、図を参照して、この発明の実施の形態につき説明する。なお、各図は、各構成要素の形状、大きさおよび配置関係を、この発明を理解できる程度に、概略的に示してあるに過ぎない。よって、この発明は、図示例のみに限定されるものではない。また、各図において、共通する構成要素や同様な構成要素については、同一の符号を付し、それらの重複する説明を省略する。
【００１９】
［実施の形態例１］
この発明の実施の形態のアイリス撮影装置は、被撮影者の目に向けて、幼児の目の撮影に用いる幼児用光及び非幼児の目の撮影に用いる非幼児用光のいずれか一方に切り替えて照明光を照射する照明部と、照明部に、幼児用光及び非幼児用光のいずれか一方へ切り替えさせる照明切替部とを有している。
【００２０】
その中でも、この実施の形態では、照明切替部が、照明部の照明光の切り替えを手動で行う構成となっている。
【００２１】
＜アイリス撮影装置の構成＞
以下、図１（Ａ）、（Ｂ）、（Ｃ）、及び（Ｄ）を参照して、実施の形態例１のアイリス撮影装置の構成につき説明する。なお、図１（Ａ）、（Ｂ）、（Ｃ）、及び（Ｄ）は、それぞれ、実施の形態例１のアイリス撮影装置の構成を説明する図である。図１（Ａ）は、正面方向から見たアイリス撮影装置１００のレイアウトを示している。図１（Ｂ）は、上面方向から見たアイリス撮影装置１００のレイアウトを示している。図１（Ｃ）は、図１（Ａ）に示す第１照明部１３０ａをａ−ａ’線に沿って切断して得られる切り口すなわち断面を、側面方向（矢印方向）から見たレイアウトを示している。図１（Ｄ）は、図１（Ａ）に示す第２照明部１３０ｂをｂ−ｂ’線に沿って切断して得られる切り口すなわち断面を、側面方向（矢印方向）から見たレイアウトを示している。
【００２２】
図１（Ａ）及び（Ｂ）に示すように、アイリス撮影装置１００は、主要構成要素として、目撮影カメラ１１０と、照明部１３０と、照明切替部１３５（図３参照）としての切替スイッチ１３５ａとを有している。このアイリス撮影装置１００は、これら主要構成要素の外に、測距部１１５と、撮影用窓１２０と、照明用窓１２２と、反射ミラー１２５と、制御部１５０（図３参照）とが設けられている。
【００２３】
目撮影カメラ１１０は、被撮影者のアイリスを含む目全体を撮影する構成要素である。目撮影カメラ１１０は、アイリス撮影装置１００の筐体１０５内部の、反射ミラー１２５の横に、光軸が反射ミラー１２５方向を向くように、配置されている。目撮影カメラ１１０は、撮影用窓１２０からアイリス撮影装置１００内部に進入し反射ミラー１２５で反射した光を、内部に取り入れる。目撮影カメラ１１０は、目撮影カメラ１１０のフォーカス位置すなわち目撮影カメラ１１０のレンズ１１２ａの合焦点位置を最適な位置に合わせるためのオートフォーカス機構（ＡＦ機構）１１２ｂが取り付けられている。
【００２４】
照明部１３０は、被撮影者の目に向けて、照明光を照射する構成要素である。この実施の形態例では、照明部１３０は、幼児でない者すなわち非幼児の目の撮影に用いる非幼児用光を照射する第１照明部１３０ａと、幼児の目の撮影に用いる幼児用光を照射する第２照明部１３０ｂとを備えている。なお、「非幼児用光」とは、目を撮影する際に用いる従来と同様の近赤外光、具体的には、約７００〜９００ｎｍの波長帯域の近赤外光である。また、「幼児用光」とは、目を撮影する際に用いる近赤外光から、可視光に近い波長帯域の近赤外光、具体的には、約７００〜８００ｎｍの波長帯域の近赤外光をカットした光である。
【００２５】
第１照明部１３０ａは、２つの照明部１３０ａ−１と１３０ａ−２とで設けられており、第２照明部１３０ｂは、２つの照明部１３０ｂ−１と１３０ｂ−２とで設けられている。なお、図１（Ａ）に示す例では、図を正面から見たとき、アイリス撮影装置１００の正面側に設けられた撮影用窓１２０を四角形状に囲むように、２つの第１照明部１３０ａ−１及び１３０ａ−２と、２つの第２照明部１３０ｂ−１及び１３０ｂ−２とが筐体１０５の内部に設けられている。第１照明部１３０ａ及び第２照明部１３０ｂは、被撮影者の目を撮影する際に、切替スイッチ１３５ａの設定状況によって、いずれか一方が発光する。
【００２６】
照明切替部１３５は、照明部１３０の照明光を、幼児用光及び非幼児用光のいずれか一方へ切り替えさせる構成要素である。この実施の形態では、照明切替部１３５は、手動で操作される切替スイッチ１３５ａとして構成されており、アイリス撮影装置１００の筐体１０５に設けられている。
【００２７】
測距部１１５は、アイリス撮影装置１００から被撮影者までの距離を測定する構成要素である。
【００２８】
撮影用窓１２０は、アイリス撮影装置１００の筐体１０５内部に光を取り入れるための開口である。撮影用窓１２０は、透過性の高いガラス板やアクリル板等の素材でカバーされており、この撮影用窓１２０の奥には、反射ミラー１２５が配置されている。
【００２９】
照明用窓１２２は、照明部１３０が照射した照明光を筐体１０５外部に放出するための開口である。照明用窓１２２は、透過性の高いガラス板やアクリル板等の素材でカバーされており、この照明用窓１２２の奥には、照明部１３０が配置されている。
【００３０】
反射ミラー１２５は、アイリス撮影装置１００の筐体１０５の外部から撮影用窓１２０を経て筐体１０５の内部に進入した光を目撮影カメラ１１０のレンズ１１２ａ方向に反射させる構成要素である。反射ミラー１２５は、アイリス撮影装置１００の筐体１０５の内部の、撮影用窓１２０の奥に、配置されている。
【００３１】
図１（Ｃ）及び（Ｄ）は、それぞれ、第１照明部１３０ａ及び第２照明部１３０ｂの主要部の構成を示している。なお、第１照明部１３０ａ及び第２照明部１３０ｂは、それぞれ、照明光として用いる波長帯域の幅が同じ約２００ｎｍとなるように構成されている。これにより、アイリス撮影装置１００は、幼児の目を撮影する場合と非幼児の目を撮影する場合とで、照明光全体の輝度がほとんど変化しないようにしている。そのため、アイリス撮影装置１００によれば、照明光の輝度を大掛かりに調整することなしに、撮影に適した光量を得られるので、良好なアイリス画像を容易に撮影できる。
【００３２】
図１（Ｃ）に示すように、第１照明部１３０ａは、発光光源１３２、反射板１３３、第１フィルタ１３４ａ、及び第２フィルタ１３４ｂを備えている。発光光源１３２は、近赤外光を含む光を発光する構成要素である。発光光源１３２としては、例えば、ストロボ発光機構や赤色灯等が用いられる。以下、特に第１照明部１３０ａの発光光源１３２を他の発光光源と区別する場合に、「第１発光光源１３２ａ」と称する。反射板１３３は、発光光源１３２から後方向に照射された光を前方向に反射させる構成要素である。第１フィルタ１３４ａは、７００ｎｍ以下の波長帯域（ただし、若干の誤差範囲を含む）の光をカットしてこれ以外の近赤外光を透過する構成要素である。第２フィルタ１３４ｂは、９００ｎｍ以上の波長帯域（ただし、若干の誤差範囲を含む）の光をカットしてこれ以外の光を透過する構成要素である。第１フィルタ１３４ａ及び第２フィルタ１３４ｂは、それぞれ、第１発光光源１３２ａの前に、重ねて配置されている。
【００３３】
一方、図１（Ｄ）に示すように、第２照明部１３０ｂは、発光光源１３２、反射板１３３、第３フィルタ１３４ｃ、及び第４フィルタ１３４ｄを備えている。以下、特に第２照明部１３０ｂの発光光源１３２を他の発光光源と区別する場合に、「第２発光光源１３２ｂ」と称する。第３フィルタ１３４ｃは、８００ｎｍ以下の波長帯域（ただし、若干の誤差範囲を含む）の光をカットしてこれ以外の光を透過する構成要素である。第４フィルタ１３４ｄは、１０００ｎｍ以上の波長帯域（ただし、若干の誤差範囲を含む）の光をカットしてこれ以外の光を透過する構成要素である。第３フィルタ１３４ｃ及び第４フィルタ１３４ｄは、それぞれ、第２発光光源１３２ｂの前に、重ねて配置されている。
【００３４】
なお、第１フィルタ１３４ａと第２フィルタ１３４ｂとを重ねる順序、及び、第３フィルタ１３４ｃと第４フィルタ１３４ｄとを重ねる順序は、単なる設計上の問題である。
【００３５】
図２（Ａ）及び（Ｂ）は、それぞれ、第１照明部１３０ａ及び第２照明部１３０ｂの照明光の波長特性を示している。図２（Ａ）に破線で示す波長特性線Ａ１は、第１発光光源１３２ａが照射する光の波長特性を示し、図２（Ａ）に実線で示す波長特性線Ｂ１は、最終的に第１照明部１３０ａから照射される光の波長特性を示している。また、図２（Ｂ）に破線で示す波長特性線Ａ２は、第２発光光源１３２ｂが照射する光の波長特性を示し、図２（Ｂ）に実線で示す波長特性線Ｂ２は、最終的に第２照明部１３０ｂから照射される光の波長特性を示している。
【００３６】
図２（Ａ）に示すように、第１発光光源１３２ａは、可視光、及び、７００〜１０００ｎｍの波長帯域の近赤外光を含む幅広い波長帯域の光を照射する（波長特性線Ａ１参照）。第１フィルタ１３４ａは、第１発光光源１３２ａが照射した光に対して、７００ｎｍ以下の波長帯域の光をカットしてこれ以外の光を透過する。領域Ｒ１は、第１フィルタ１３４ａがカットした領域を示している。一方、第２フィルタ１３４ｂは、第１発光光源１３２ａが照射した光に対して、９００ｎｍ以上の波長帯域の光をカットしてこれ以外の光を透過する。領域Ｒ２は、第２フィルタ１３４ｂがカットした領域を示している。なお、第１フィルタ１３４ａは、正確に７００ｎｍ以下の波長帯域の光をカットするのではなく、若干の誤差を有する。また、第２フィルタ１３４ｂは、正確に９００ｎｍ以上の波長帯域の光をカットするのではなく、若干の誤差を有する。そのため、最終的に第１照明部１３０ａから照射される光の波長特性は、波長特性線Ｂ１のようになる。すなわち、この光の波長特性は、７００ｎｍ以下の近赤外光が若干含まれ、７００ｎｍ以上の近赤外光が若干カットされ、９００ｎｍ以下の近赤外光が若干カットされ、及び、９００ｎｍ以上の近赤外光が若干含まれた状態となる。
【００３７】
一方、図２（Ｂ）に示すように、第２発光光源１３２ｂは、可視光、及び、７００〜１０００ｎｍの波長帯域の近赤外光を含む幅広い波長帯域の光を照射する（波長特性線Ａ２参照）。第３フィルタ１３４ｃは、第２発光光源１３２ｂが照射した光に対して、８００ｎｍ以下の波長帯域の光をカットしてこれ以外の光を透過する。領域Ｒ３は、第３フィルタ１３４ｃがカットした領域を示している。一方、第４フィルタ１３４ｄは、第２発光光源１３２ｂが照射した光に対して、１０００ｎｍ以上の波長帯域の光をカットしてこれ以外の光を透過する。領域Ｒ４は、第４フィルタ１３４ｄがカットした領域を示している。なお、第３フィルタ１３４ｃは、正確に８００ｎｍ以下の波長帯域の光をカットするのではなく、若干の誤差を有する。また、第４フィルタ１３４ｄは、正確に１０００ｎｍ以上の波長帯域の光をカットするのではなく、若干の誤差を有する。そのため、最終的に第２照明部１３０ｂから照射される光の波長特性は、波長特性線Ｂ２のようになる。すなわち、この光の波長特性は、８００ｎｍ以下の近赤外光が若干含まれ、８００ｎｍ以上の近赤外光が若干カットされ、１０００ｎｍ以下の近赤外光が若干カットされ、及び、１０００ｎｍ以上の近赤外光が若干含まれた状態となる。
【００３８】
なお、第１発光光源１３２ａ及び第２発光光源１３２ｂが照射する光は、長い波長になるほど減少する（波長特性線Ａ１及びＡ２参照）。そのため、第１発光光源１３２ａ及び第２発光光源１３２ｂが同じ輝度で発光すると、第２照明部１３０ｂから照射される光の輝度のピーク値（すなわち、８００ｎｍ付近の輝度値）α４が第１照明部１３０ａから照射される光の輝度のピーク値（すなわち、７００ｎｍ付近の輝度値）α２よりも若干低くなる。そこで、第２発光光源１３２ｂは、好ましくは、第２照明部１３０ｂから照射される光の輝度のピーク値α４が第１照明部１３０ａから照射される光の輝度のピーク値α２にほぼ一致するように、α２とα４の差分だけ、第１発光光源１３２ａよりも輝度を高めに発光するとよい。なお、α２は、図２（Ａ）に示すように、波長特性線Ａ１の７００ｎｍの輝度の理論値α１に近似し、α４は、図２（Ｂ）に示すように、波長特性線Ａ２の８００ｎｍの輝度の理論値α３に近似している。したがって、α２とα４の差分の値は、α１とα３の差分に近似した値となる。そこで、第２発光光源１３２ｂは、α２とα４の差分の代わりに、α１とα３の差分だけ、第１発光光源１３２ａよりも輝度を高めに発光するようにしてもよい。
【００３９】
制御部１５０（図３参照）は、アイリス撮影装置１００としての装置全体の制御を行う構成要素であり、ＣＰＵにプログラムを読み込んだときに機能手段として形成される。したがって、制御部１５０への信号の入力は、Ｄ／Ａ変換されて行われ、また制御部１５０からの信号の出力はＤ／Ａ変換されて行われる。制御部１５０は、アイリス撮影装置１００の各部を制御して、被撮影者の目を撮影し、撮影された目画像の中から被撮影者のアイリス画像を切り出して、アイリス認証装置２００へ出力する。そのための機能手段として、図３に示すように、オートフォーカス制御部（ＡＦ制御部）１６２と、ビデオキャプチャ部１６４と、画像処理部１６６と、アイリス画像出力部１６８とを備えている。なお、図３は、実施の形態例１のアイリス撮影装置の機能ブロック図である。
【００４０】
ＡＦ制御部１６２は、ＡＦ機構１１２ｂを駆動して、目撮影カメラ１１０のフォーカス位置すなわち目撮影カメラ１１０のレンズ１１２ａの合焦点位置を最適な位置に合わせるための構成要素である。
【００４１】
ビデオキャプチャ部１６４は、メモリであって、目撮影カメラ１１０から出力されたアナログ画像信号がＡ／Ｄ変換されて得られたディジタル信号を目画像データとして、蓄積する構成要素である。
【００４２】
画像処理部１６６は、ビデオキャプチャ部１６４に蓄積された目画像データを画像処理して、目画像の中からアイリスコードの取得に適したアイリス画像を切り出す構成要素である。
【００４３】
アイリス画像出力部１６８は、画像処理部１６６によって切り出されたアイリス画像のデータをアイリス認証装置２００に出力する構成要素である。
【００４４】
＜アイリス撮影装置の動作＞
この実施の形態例のアイリス撮影装置１００は、特許文献１に開示された従来のアイリス撮影装置と同様の動作を行う。ただし、この実施の形態例のアイリス撮影装置１００は、切替スイッチ１３５ａの設定状況によって、照明部１３０が非幼児用光及び幼児用光のいずれか一方を照明光として照射する点で、特許文献１に開示された従来のアイリス撮影装置と動作が異なる。
【００４５】
すなわち、この実施の形態例のアイリス撮影装置１００は、被撮影者のアイリス画像を撮影するに際して、まず、測距部１１５が被撮影者までの距離を測定し、続いて、ＡＦ制御部１６２がＡＦ機構１１２ｂを駆動して、目撮影カメラ１１０のレンズ１１２ａの焦点が測距部１１５によって測定された被撮影者までの距離に一致するように、レンズ１１２ａの位置を設定する。そして、アイリス撮影装置１００は、アイリスを鮮明に撮影するために、照明部１３０が近赤外光を被撮影者の目に照射し、目撮影カメラ１１０がその反射光を撮影する。この近赤外光の照射のとき、アイリス撮影装置１００は、切替スイッチ１３５ａの設定状況によって、照明部１３０が非幼児用光及び幼児用光のいずれか一方を照明光として照射する。すなわち、アイリス撮影装置１００は、切替スイッチ１３５ａが「非幼児用光」側に設定されている場合に、第１照明部１３０ａが発光し、また、切替スイッチ１３５ａが「幼児用光」側に設定されている場合に、第２照明部１３０ｂが発光する。
【００４６】
アイリス撮影装置１００は、目撮影カメラ１１０のレンズ１１２ａを最適な位置に合わせるために、複数回、ＡＦ制御部１６２がレンズ１１２ａの位置を移動させながら、目撮影カメラ１１０が撮影する。これにより、アイリス撮影装置１００は、フォーカス位置が異なる複数枚の目画像を撮影する。目撮影カメラ１１０によって撮影された目画像は、目撮影カメラ１１０からのアナログ画像信号がＡ／Ｄ変換されて、ディジタル信号の目画像データとしてビデオキャプチャ部１６４に蓄積される。アイリス撮影装置１００のＡＦ制御部１６２は、ビデオキャプチャ部１６４からフォーカス位置が異なる複数枚の目画像データを読み出して、それぞれの合焦度を測定して、合焦度がピークとなるレンズの位置を割り出し、その位置にレンズを移動させる。そして、目撮影カメラ１１０が、最終的な目の撮影を行い、その結果、最終的に撮影された目画像データが、ビデオキャプチャ部１６４に蓄積される。これにより、アイリス撮影装置１００は、良好なアイリス画像の切り出しに適した目画像を撮影することができる。この後、アイリス撮影装置１００の画像処理部１６６は、ビデオキャプチャ部１６４から最終的に撮影された目画像データを読み出して、この目画像データを画像処理して、目画像の中からアイリス画像を切り出してアイリス認証装置２００に出力し、アイリス認証装置２００に被撮影者の個人認証を行わせる。
【００４７】
以上の通り、実施の形態例１のアイリス撮影装置１００は、照明光として、幼児の目の撮影に用いる幼児用光及び非幼児の目の撮影に用いる非幼児用光のいずれか一方に切り替えて照射することができるため、被撮影者が幼児であっても、良好なアイリス画像を容易に撮影することができる。
【００４８】
［実施の形態例２］
この実施の形態例では、アイリス撮影装置１０２は、照明部１３０の切り替えを演算処理によって自動的に行う構成となっている。
【００４９】
以下、図４（Ａ）、（Ｂ）、（Ｃ）、及び（Ｄ）、並びに、図５を参照して、実施の形態例２のアイリス撮影装置１０２の構成につき説明する。なお、図４（Ａ）、（Ｂ）、（Ｃ）、及び（Ｄ）は、それぞれ、実施の形態例２のアイリス撮影装置の構成を説明する図である。図４（Ａ）は、正面方向から見たアイリス撮影装置１０２のレイアウトを示している。図４（Ｂ）は、上面方向から見たアイリス撮影装置１０２のレイアウトを示している。図４（Ｃ）は、図４（Ａ）に示す第１照明部１３０ａをａ−ａ’線に沿って切断して得られる切り口すなわち断面を、側面方向（矢印方向）から見たレイアウトを示している。図４（Ｄ）は、図４（Ａ）に示す第２照明部１３０ｂをｂ−ｂ’線に沿って切断して得られる切り口すなわち断面を、側面方向（矢印方向）から見たレイアウトを示している。また、図５は、実施の形態例２のアイリス撮影装置の機能ブロック図である。
【００５０】
図４（Ａ）及び（Ｂ）、並びに、図５に示すように、アイリス撮影装置１０２は、目撮影カメラ１１０に加え、顔撮影カメラ１０７が設けられている。この顔撮影カメラ１０７は、被撮影者の顔を含む上半身を撮影する構成要素である。顔撮影カメラ１０７によって撮影された被撮影者の上半身画像は、顔撮影カメラ１０７からのアナログ画像信号がＡ／Ｄ変換されて、ディジタル信号の上半身画像データとしてビデオキャプチャ部１６４に蓄積される。
【００５１】
また、図４（Ａ）及び（Ｂ）、並びに、図５に示すように、アイリス撮影装置１０２は、実施の形態例１の切替スイッチ１３５ａが排除され、代わりに、照明切替部１３５として照明制御部１３５ｂが設けられている。
【００５２】
この照明制御部１３５ｂは、被撮影者が幼児か非幼児かを判定して、判定結果に応じて、照明部１３０の切り替えを行う構成要素であり、ＣＰＵにプログラムを読み込んだときに制御部１５０の機能手段として形成される。
【００５３】
この照明制御部１３５ｂは、図５に示すように、身長測定部１７２と、顔画像抽出部１７４と、年齢判定部１７６と、記憶部１７８とを備えている。
【００５４】
身長測定部１７２は、被撮影者の身長を測定する構成要素である。この実施の形態例では、身長測定部１７２は、測距部１１５によって測定された被撮影者までの距離情報と、顔撮影カメラ１０７によって撮影された被撮影者の上半身画像の任意の位置から被撮影者の顔位置までを測定することによって得られる角度情報とに基づいて、この被撮影者の身長を算出する。この被撮影者の身長を算出する手法については、図７を参照して、後述する。なお、「被撮影者の上半身画像の任意の位置」としては、運用に応じて任意の部分の位置を用いることができるが、好ましくは、例えば、腰部位置等のように、被撮影者の身長を算出し易い位置を用いるとよい。また、「被撮影者の顔位置」としては、運用に応じて任意の部分の位置を用いることができるが、好ましくは、例えば、顔の天頂位置または両目の中間位置等のように、被撮影者の身長を算出し易い位置を用いるとよい。
【００５５】
顔画像抽出部１７４は、ビデオキャプチャ部１６４から上半身画像データを読み出して、この上半身画像データを画像処理して、上半身画像の中から顔画像を抽出する構成要素である。
【００５６】
年齢判定部１７６は、被撮影者が幼児か非幼児かを判定する構成要素である。年齢判定部１７６は、第１判定として、身長測定部１７２によって測定された被撮影者の身長と記憶部１７８に記憶された閾値とを比較して、被撮影者が幼児か非幼児かを判定する。また、年齢判定部１７６は、第２判定として、顔画像抽出部１７４によって抽出された被撮影者の顔画像に写る被撮影者の顔貌の特徴と記憶部１７８に記憶された顔貌情報とを比較して、被撮影者が幼児か非幼児かを判定する。年齢判定部１７６は、第１及び第２判定の双方の結果が幼児である場合に、照明部１３０が照射する照明光を、幼児用光に切り替えさせる。すなわち、第２照明部１３０ｂを発光させる。一方、年齢判定部１７６は、第１及び第２判定の一方の結果が非幼児である場合に、照明部１３０が照射する照明光を、非幼児用光に切り替えさせる。すなわち、第１照明部１３０ａを発光させる。
【００５７】
記憶部１７８は、後述の式１〜４やこれら式１〜４に用いられる各種の値、身長に応じて幼児と非幼児とを切り分ける閾値及び各年齢に応じた顔貌の特徴を表す顔貌情報等を予め記憶する構成要素である。
【００５８】
なお、この実施の形態例のアイリス撮影装置１０２は、顔撮影カメラ１０７が設けられ、さらに、切替スイッチ１３５ａの代わりに照明制御部１３５ｂが設けられている以外は、実施の形態例１のアイリス撮影装置１００と同様の構成となっている（図４（Ａ）、（Ｂ）、（Ｃ）、及び（Ｄ）、並びに、図５参照）。
【００５９】
以下、図６を参照して、この実施の形態例のアイリス撮影装置１０２の動作につき説明する。なお、図６は、アイリス画像撮影時の動作を示すフローチャートである。
【００６０】
図６に示すように、アイリス撮影装置１０２は、被撮影者のアイリス画像を撮影するに際して、まず、測距部１１５が被撮影者までの距離を測定し（Ｓ１０５）、続いて、顔撮影カメラ１０７が被撮影者の上半身画像を撮影する（Ｓ１１０）。なお、顔撮影カメラ１０７によって撮影された被撮影者の上半身画像は、既に説明したように、顔撮影カメラ１０７からアナログ画像信号としてビデオキャプチャ部１６４に出力される。アナログ画像信号は、Ａ／Ｄ変換されて、ディジタル信号の上半身画像データとしてビデオキャプチャ部１６４に蓄積される。
【００６１】
アイリス撮影装置１０２は、被撮影者の上半身画像を撮影すると、これに応答して、照明切替部１３５が被撮影者の年齢判別処理を行う（Ｓ１１５）。この年齢判別処理は、照明切替部１３５の各部が以下の処理を行うことによって、行われる。
【００６２】
すなわち、まず、身長測定部１７２が、測距部１１５によって測定された被撮影者までの距離情報と、顔撮影カメラ１０７によって撮影された被撮影者の上半身画像の任意の位置（例えば、腰部位置）から被撮影者の顔位置（例えば、顔の天頂位置または両目の中間位置等）までを測定することによって得られる角度情報（具体的には、以下に説明するｔａｎθ）とに基づいて、この被撮影者の身長を算出する。
【００６３】
ここで、図７を参照して、この被撮影者の身長を算出する手法につき説明する。図７は、身長測定の説明図である。顔撮影カメラ１０７は、顔撮影カメラ１０７のレンズ１０９ａを点対称の中心にして、倒立された被撮影者の上半身画像１９０を結像部であるＣＣＤ素子上に形成する。ここで、上半身画像の任意の位置から被撮影者の顔位置、具体的には、腰部位置から顔の天頂位置までの距離をＴ１とし、被撮影者の身長ＴをＴ１の２倍すなわち２×Ｔ１程度であるものとする。この場合に、Ｔは、以下の式１によって表される。
【００６４】
Ｔ＝２×Ｔ１    …（１）
また、顔撮影カメラ１０７のレンズ１０９ａから被撮影者までの距離をＬ１とし、この距離Ｌ１は、測距部１１５によって測定されるアイリス撮影装置１０２から被撮影者までの距離であるものとする。また、顔撮影カメラ１０７のレンズ１０９ａと被撮影者の腰部位置とを結ぶ線分ＯＢと顔撮影カメラ１０７のレンズ１０９ａと被撮影者の顔の天頂位置とを結ぶ線分ＯＡとの挟角をθとする。この場合に、Ｔ１は、以下の式２によって表される。
【００６５】
Ｔ１＝（Ｌ１×ｔａｎθ）    …（２）
ここで、挟角θは、顔撮影カメラ１０７のレンズ１０９ａと被撮影者の上半身画像１９０の腰部位置とを結ぶ線分ＯＢ’と顔撮影カメラ１０７のレンズ１０９ａと被撮影者の上半身画像１９０の顔の天頂位置とを結ぶ線分ＯＡ’との挟角でもある。したがって、被撮影者の上半身画像１９０の腰部位置から顔の天頂位置までの距離をＴ２とし、顔撮影カメラ１０７のレンズ１０９ａから結像部（ＣＣＤ素子）までの距離をＬ２とする場合に、ｔａｎθは、以下の式３によって表される。
【００６６】
ｔａｎθ＝（Ｔ１／Ｌ２）    …（３）
よって、式１と式２と式３の関係から、Ｔは、以下の式４として表される。
【００６７】
Ｔ＝２×Ｔ１＝２×（Ｌ１×ｔａｎθ）＝２×（Ｌ１×（Ｔ１／Ｌ２））    …（４）
ここで、距離Ｌ１は、測距部１１５によって測定されるアイリス撮影装置１０２から被撮影者までの距離である。また、距離Ｌ２は、顔撮影カメラ１０７のレンズ１０９ａから結像部（ＣＣＤ素子）までの距離であるので、既知の値である。よって、被撮影者の身長Ｔは、身長測定部１７２が、顔撮影カメラ１０７によって撮影された被撮影者の上半身画像の任意の位置（例えば、腰部位置）から被撮影者の顔位置（例えば、顔の天頂位置または両目の中間位置等）までを測定することによって算出できる。
【００６８】
次に、顔画像抽出部１７４が、ビデオキャプチャ部１６４から上半身画像データを読み出して、この上半身画像データを画像処理して、上半身画像の中から顔画像を抽出する。
【００６９】
次に、年齢判定部１７６が、第１判定として、身長測定部１７２によって測定された被撮影者の身長と記憶部１７８に記憶された閾値とを比較して、被撮影者の推定年齢（以下、「第１推定年齢」と称する）を割り出し、被撮影者が幼児か非幼児かを判定する。
【００７０】
さらに、年齢判定部１７６が、第２判定として、顔画像抽出部１７４によって抽出された被撮影者の顔画像に写る被撮影者の顔貌の特徴と記憶部１７８に記憶された顔貌情報とを比較して、被撮影者の推定年齢（以下、「第２推定年齢」と称する）を割り出し、被撮影者が幼児か非幼児かを判定する。
【００７１】
以上により、被撮影者の年齢判別処理が行われる。
【００７２】
アイリス撮影装置１０２は、被撮影者の年齢判別処理を行うと、これに応答して、照明切替部１３５の年齢判定部１７６が、被撮影者は幼児か否かを判定する（Ｓ１２０）。このとき、年齢判定部１７６は、第１及び第２判定の双方の結果が幼児である場合に、被撮影者が幼児であると判定する。一方、年齢判定部１７６は、第１及び第２判定の一方の結果が非幼児である場合に、被撮影者が非幼児であると判定する。
【００７３】
Ｓ１２０の判定で、“Ｙｅｓ”すなわち被撮影者が幼児であると判定された場合に、アイリス撮影装置１０２は、幼児用の照明光で被撮影者の目を撮影する（Ｓ１２５）。すなわち、まず、ＡＦ制御部１６２がＡＦ機構１１２ｂを駆動して、目撮影カメラ１１０のレンズ１１２ａの焦点が測距部１１５によって測定された被撮影者までの距離に一致するように、レンズ１１２ａの位置を設定し、続いて、照明切替部１３５の年齢判定部１７６が、第２照明部１３０ｂを発光させて、幼児用の近赤外光（具体的には、８００〜１０００ｎｍの近赤外光）を被撮影者の目に照射し、目撮影カメラ１１０が、その反射光を撮影する。以下、アイリス撮影装置１０２は、実施の形態例１のアイリス撮影装置１００と同様の動作を行って、アイリス画像をアイリス認証装置２００（図５参照）に出力して、アイリス認証装置２００に被撮影者の個人認証を行わせる。これにより、アイリス画像の撮影が終了する。
【００７４】
一方、Ｓ１２０の判定で、“Ｎｏ”すなわち被撮影者が非幼児であると判定された場合に、照明切替部１３５の年齢判定部１７６が、被撮影者は成人か否かを判定する（Ｓ１３０）。この判定は、被撮影者の第１推定年齢と第２推定年齢とに基づいて、行われる。このとき、年齢判定部１７６は、第１及び第２推定年齢の双方が成人である場合に、被撮影者が成人であると判定する。一方、年齢判定部１７６は、第１及び第２推定年齢の一方が非成人である場合に、被撮影者の年齢が不明であると判定する。
【００７５】
Ｓ１３０の判定で、“Ｙｅｓ”すなわち被撮影者が成人であると判定された場合に、アイリス撮影装置１０２は、成人用の照明光つまり非幼児用の照明光で被撮影者の目を撮影する（Ｓ１３５）。すなわち、まず、ＡＦ制御部１６２がＡＦ機構１１２ｂを駆動して、目撮影カメラ１１０のレンズ１１２ａの焦点が測距部１１５によって測定された被撮影者までの距離に一致するように、レンズ１１２ａの位置を設定し、続いて、照明切替部１３５の年齢判定部１７６が、第１照明部１３０ａを発光させて、非幼児用の近赤外光（具体的には、７００〜９００ｎｍの近赤外光）を被撮影者の目に照射し、目撮影カメラ１１０が、その反射光を撮影する。以下、アイリス撮影装置１０２は、実施の形態例１のアイリス撮影装置１００と同様の動作を行って、アイリス画像をアイリス認証装置２００（図５参照）に出力して、アイリス認証装置２００に被撮影者の個人認証を行わせる。これにより、アイリス画像の撮影が終了する。
【００７６】
一方、Ｓ１３０の判定で、“Ｎｏ”すなわち被撮影者の年齢が不明であると判定された場合に、アイリス撮影装置１０２は、幼児用の照明光で被撮影者の目を撮影する（Ｓ１４０）。すなわち、まず、ＡＦ制御部１６２がＡＦ機構１１２ｂを駆動して、目撮影カメラ１１０のレンズ１１２ａの焦点が測距部１１５によって測定された被撮影者までの距離に一致するように、レンズ１１２ａの位置を設定し、続いて、照明切替部１３５の年齢判定部１７６が、第２照明部１３０ｂを発光させて、幼児用の近赤外光（具体的には、８００〜１０００ｎｍの近赤外光）を被撮影者の目に照射し、目撮影カメラ１１０が、その反射光を撮影する。
【００７７】
Ｓ１４０の後、アイリス撮影装置１０２は、幼児用の照明光で被撮影者の目を撮影すると、これに応答して、画像処理部１６６が、良好なアイリス画像すなわち被撮影者の個人認証に用いるアイリスコードを取得することができるアイリス画像を取得できたか否かを判定する（Ｓ１４５）。
【００７８】
Ｓ１４５の判定で、“Ｙｅｓ”すなわち良好なアイリス画像が取得できたと判定された場合に、アイリス撮影装置１０２は、動作を終了する。
【００７９】
一方、Ｓ１４５の判定で、“Ｎｏ”すなわち良好なアイリス画像が取得できなかったと判定された場合に、照明制御部１３５ｂは、繰り返し回数が予め定められた繰り返し上限回数ｎを超えているか否かを判定する（Ｓ１５０）。
【００８０】
Ｓ１５０の判定で、“Ｙｅｓ”すなわち繰り返し回数が予め定められた繰り返し上限回数ｎを超えていると判定された場合に、アイリス撮影装置１０２の動作は、Ｓ１３５に進む。すなわち、アイリス撮影装置１０２は、成人用の照明光つまり非幼児用の照明光で被撮影者の目を撮影する。これにより、アイリス画像の撮影が終了する。
【００８１】
一方、Ｓ１５０の判定で、“Ｎｏ”すなわち繰り返し回数が予め定められた繰り返し上限回数ｎを超えていないと判定された場合に、アイリス撮影装置１０２の動作は、Ｓ１４０に戻り、Ｓ１４０〜Ｓ１５０の動作を繰り返す。
【００８２】
以上の通り、実施の形態例２のアイリス撮影装置１０２は、照明部１３０の切り替えを自動的に行うことができるため、実施の形態例１に比べて、アイリス画像の撮影の簡素化を図ることができる。
【００８３】
［実施の形態例３］
この実施の形態例では、アイリス撮影装置１０４は、第１照明部１３０ａ及び第２照明部１３０ｂの代わりに、照明部が複数のＬＥＤ素子によって構成されており、各ＬＥＤ素子は、７００〜１０００ｎｍの波長帯域内の、それぞれに固有の近赤外光を発光する構成となっている。
【００８４】
以下、図８（Ａ）、（Ｂ）、及び（Ｃ）を参照して、実施の形態例３のアイリス撮影装置１０４の構成につき説明する。なお、図８（Ａ）、（Ｂ）、及び（Ｃ）は、それぞれ、実施の形態例３のアイリス撮影装置の構成を示す図である。図８（Ａ）は、正面方向から見たアイリス撮影装置１０４のレイアウトを示している。図８（Ｂ）は、上面方向から見たアイリス撮影装置１０４のレイアウトを示している。図８（Ｃ）は、図８（Ａ）に示す第３照明部１４０をｃ−ｃ’線に沿って切断して得られる切り口すなわち断面を、側面方向（矢印方向）から見たレイアウトを示している。
【００８５】
図８（Ａ）、（Ｂ）、及び（Ｃ）に示すように、アイリス撮影装置１０４は、実施の形態例２の第１照明部１３０ａ及び第２照明部１３０ｂが排除され、代わりに、第３照明部１４０が設けられている。この第３照明部１４０は、照明制御部１３５ｂ（図５参照）の制御に基づいて、非幼児用光と幼児用光とを切り替えて照射する構成要素である。なお、図８（Ａ）に示す例では、図を正面から見たとき、アイリス撮影装置１０４の正面側に設けられた撮影用窓１２０を四角形状に囲むように、４つの第３照明部１４０−１、１４０−２、１４０−３、及び１４０−４が筐体１０５の内部に設けられている。各第３照明部１４０は、複数のＬＥＤ素子１４２によって構成されており、各ＬＥＤ素子は、７００〜１０００ｎｍの波長帯域内の、それぞれに固有の近赤外光を発光する構成となっている。なお、図８（Ａ）に示す例では、各第３照明部１４０は、行毎に波長特性の異なる６種類のＬＥＤ素子１４２が６行８列で配置された構成となっている。以下、各行のＬＥＤ素子１４２を、上の行から順番に、ＬＥＤ素子１４２ａ、１４２ｂ、１４２ｃ、１４２ｄ、１４２ｅ、及び１４２ｆと称する。
【００８６】
図９（Ａ）及び（Ｂ）は、それぞれ、第３照明部の照明光の波長特性図である。図９（Ａ）に示す波長特性線Ａａ、Ａｂ、Ａｃ、及びＡｄは、第３照明部１４０が非幼児用光として照射する光の波長特性を示し、図９（Ｂ）に示す波長特性線Ａｃ、Ａｄ、Ａｅ、及びＡｆは、第３照明部１４０が幼児用光として照射する光の波長特性を示している。
【００８７】
第３照明部１４０は、非幼児用光を照射する場合に、図９（Ａ）に示すように、第１ＬＥＤ素子１４２ａが波長特性線Ａａとして示す約７００〜７５０ｎｍの波長帯域の近赤外光を発光し、第２ＬＥＤ素子１４２ｂが波長特性線Ａｂとして示す約７５０〜８００ｎｍの波長帯域の近赤外光を発光し、第３ＬＥＤ素子１４２ｃが波長特性線Ａｃとして示す約８００〜８５０ｎｍの波長帯域の近赤外光を発光し、さらに、第４ＬＥＤ素子１４２ｄが波長特性線Ａｄとして示す約８５０〜９００ｎｍの波長帯域の近赤外光を発光する。
【００８８】
また、第３照明部１４０は、幼児用光を照射する場合に、図９（Ｂ）に示すように、第３ＬＥＤ素子１４２ｃが波長特性線Ａｃとして示す約８００〜８５０ｎｍの波長帯域の近赤外光を発光し、第４ＬＥＤ素子１４２ｄが波長特性線Ａｄとして示す約８５０〜９００ｎｍの波長帯域の近赤外光を発光し、第５ＬＥＤ素子１４２ｅが波長特性線Ａｅとして示す約９００〜９５０ｎｍの波長帯域の近赤外光を発行し、さらに、第６ＬＥＤ素子１４２ｆが波長特性線Ａｆとして示す約９５０〜１０００ｎｍの波長帯域の近赤外光を発光する。
【００８９】
なお、この実施の形態例のアイリス撮影装置１０４は、第１照明部１３０ａ及び第２照明部１３０ｂの代わりに第３照明部１４０が設けられている以外は、実施の形態例２のアイリス撮影装置１０２と同様の構成となっている（図４（Ａ）、（Ｂ）、（Ｃ）、及び（Ｄ）、並びに、図５参照）。
【００９０】
この実施の形態例のアイリス撮影装置１０４は、図６に示すＳ１２５、Ｓ１３５、及びＳ１４０で以下の動作を行う以外は、実施の形態例２のアイリス撮影装置１０２と同様の動作を行う。すなわち、この実施の形態例のアイリス撮影装置１０４は、Ｓ１２５及びＳ１４０で、照明切替部１３５の年齢判定部１７６が、第２照明部１３０ｂの代わりに、第３照明部１４０の６種類のＬＥＤ素子１４２の中の第３、第４、第５、及び第６ＬＥＤ素子１４２ｃ、１４２ｄ、１４２ｅ、及び１４２ｆを選択して発光させる。また、この実施の形態例のアイリス撮影装置１０４は、Ｓ１３５で、照明切替部１３５の年齢判定部１７６が、第１照明部１３０ａの代わりに、第３照明部１４０の６種類のＬＥＤ素子１４２の中の第１、第２、第３、及び第４ＬＥＤ素子１４２ａ、１４２ｂ、１４２ｃ、及び１４２ｄを発光させる。
【００９１】
この実施の形態例３に係るアイリス撮影装置１０４は、実施の形態例２と同様に、照明部１４０の切り替えを自動的に行うことができるため、実施の形態例１に比べて、アイリス画像の撮影の簡素化を図ることができる。
【００９２】
この発明は、上述の実施の形態例に限定されることなく、この発明の要旨を逸脱しない範囲で種々の変更や変形を行うことができる。
【００９３】
例えば、第１及び第２照明部１３０ａ及び１３０ｂ並びに第３照明部１４０の数や配置位置を変更することが可能である。
【図面の簡単な説明】
【００９４】
【図１】（Ａ）、（Ｂ）、（Ｃ）、及び（Ｄ）は、それぞれ、実施の形態例１のアイリス撮影装置の構成を示す図である。
【図２】（Ａ）及び（Ｂ）は、それぞれ、照明部の照明光の波長特性図である。
【図３】実施の形態例１のアイリス撮影装置の機能ブロック図である。
【図４】（Ａ）、（Ｂ）、（Ｃ）、及び（Ｄ）は、それぞれ、実施の形態例２のアイリス撮影装置の構成を示す図である。
【図５】実施の形態例２のアイリス撮影装置の機能ブロック図である。
【図６】アイリス画像撮影時の動作を示すフローチャートである。
【図７】身長測定の説明図である。
【図８】（Ａ）、（Ｂ）、及び（Ｃ）は、それぞれ、実施の形態例３のアイリス撮影装置の構成を示す図である。
【図９】（Ａ）及び（Ｂ）は、それぞれ、第３照明部の照明光の波長特性図である。
【符号の説明】
【００９５】
１００，１０２，１０４    …アイリス撮影装置
１０５    …筐体
１０７    …顔撮影カメラ
１１０    …目撮影カメラ
１１５    …測距部
１２０    …撮影用窓
１２２    …照明用窓
１２５    …反射ミラー
１２５    …角度調整機構
１３０（１３０ａ、１３０ｂ）    …照明部
１３２    …発光光源
１３４ａ    …第１フィルタ（７００ｎｍ以下カット）
１３４ｂ    …第２フィルタ（９００ｎｍ以上カット）
１３４ｃ    …第３フィルタ（８００ｎｍ以下カット）
１３４ｄ    …第４フィルタ（１０００ｎｍ以上カット）
１３５（１３５ａ）    …照明切替部（切替スイッチ）
２００    …アイリス認証装置
【図１】
2010009106.tif 000003
【図２】
2010009106.tif 000004
【図３】
2010009106.tif 000005
【図４】
2010009106.tif 000006
【図５】
2010009106.tif 000007
【図６】
2010009106.tif 000008
【図７】
2010009106.tif 000009
【図８】
2010009106.tif 000010
【図９】
2010009106.tif 000011